【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
光軸に対して回転対称な輪帯構造を備え、各輪帯が略放物断面形状を有していることを特徴とする位相フィルタ。
【請求項２】
前記輪帯は、入射光束に対して瞳面の半径方向に凹レンズとして作用する凹面を備えることを特徴とする請求項１に記載の位相フィルタ。
【請求項３】
前記輪帯は、入射光束に対して瞳面の半径方向に凹レンズとして作用する凹面と凸レンズとして作用する凸面とを交互に備えることを特徴とする請求項１に記載の位相フィルタ。
【請求項４】
前記輪帯の幅が各輪帯間で等しいことを特徴とする請求項１に記載の位相フィルタ。
【請求項５】
前記輪帯によって加わる位相差が各輪帯間で等しいことを特徴とする請求項１に記載の位相フィルタ。
【請求項６】
前記各輪帯の幅が、光軸から当該位相フィルタにおける周縁部に向けて狭くなっている、ことを特徴とする請求項１に記載の位相フィルタ。
【請求項７】
前記輪帯によって加わる位相差が、光軸近傍より当該位相フィルタにおける周縁部の方が大きいことを特徴とする請求項１に記載の位相フィルタ。
【請求項８】
光軸に対して回転対称な輪帯構造を備え、各輪帯が略放物断面形状を有した位相フィルタを、結像光学系に搭載したことを特徴とする撮像光学系。
【請求項９】
光軸に対して回転対称な輪帯構造を備え、各輪帯が略放物断面形状を有した位相フィルタを、結像光学系に搭載した撮像光学系にて撮像された画像に対し、デコンボリューション画像処理を行い、焦点深度拡大画像を得ることを特徴とする撮像システム。
【請求項１０】
光軸に対して回転対称な輪帯構造を備え、各輪帯が略放物断面形状を有した位相フィルタを結像光学系に搭載した撮像光学系にて撮像した、車両周囲物体の画像に対し、デコンボリューション画像処理を行って焦点深度拡大画像を取得し、当該焦点深度拡大画像に所定の画像認識アルゴリズムを適用して、車両から一定距離内にあって互い異なる距離に存在する複数物体を同時に検知する車両走行支援装置。
【請求項１１】
光軸に対して回転対称な輪帯構造を備え、各輪帯が略放物断面形状を有した位相フィルタを結像光学系に搭載した撮像光学系にて撮像した、監視対象領域の画像に対し、デコンボリューション画像処理を行って焦点深度拡大画像を取得し、当該焦点深度拡大画像に所定の画像認識アルゴリズムを適用して、監視対象領域において前記撮像光学系から異なる距離に存在する複数診療対象領域を同時に検知する監視装置。
【請求項１２】
光軸に対して回転対称な輪帯構造を備え、各輪帯が略放物断面形状を有した位相フィルタを結像光学系に搭載した撮像光学系にて複数次撮像した、同一診療対象領域の各画像に対し、デコンボリューション画像処理を行って焦点深度拡大画像を取得し、当該焦点深度拡大画像に所定の画像認識アルゴリズムを適用して、前記撮像光学系からの撮影距離が異なる各画像から前記同一診療対象領域を認証する認証装置。
【請求項１３】
光軸に対して回転対称な輪帯構造を備え、各輪帯が略放物断面形状を有した位相フィルタを結像光学系に搭載した撮像光学系にて撮像した、人体における診療対象領域の画像に対し、デコンボリューション画像処理を行って焦点深度拡大画像を取得し、当該焦点深度拡大画像に所定の画像認識アルゴリズムを適用して、診療対象領域において前記撮像光学系から異なる距離に存在する複数部位の画像を同時に出力する医療装置。
【手続補正２】
【補正対象書類名】明細書
【補正対象項目名】００１１
【補正方法】変更
【補正の内容】
【００１１】
上記課題を解決する本発明の位相フィルタは、光軸に対して回転対称な輪帯構造を備え、各輪帯が略放物断面形状を有していることを特徴とする。これによれば、ＷＦＣの画像処理後の焦点深度拡大画像において、焦点ずれに応じた像点の面内位置ずれの発生を抑制できる。
【手続補正３】
【補正対象書類名】明細書
【補正対象項目名】００１２
【補正方法】変更
【補正の内容】
【００１２】
また、本発明の撮像光学系は、光軸に対して回転対称な輪帯構造を備え、各輪帯が略放物断面形状を有した位相フィルタを、結像光学系に搭載したことを特徴とする。これによれば、ＷＦＣの画像処理後の焦点深度拡大画像において、焦点ずれに応じた像点の面内位置ずれの発生を抑制できることとなり、当該撮像システムを、点像の位置によって物体位置の計測を行う用途に用いることが可能となる。
【手続補正４】
【補正対象書類名】明細書
【補正対象項目名】００１３
【補正方法】変更
【補正の内容】
【００１３】
また、本発明の撮像システムは、光軸に対して回転対称な輪帯構造を備え、各輪帯が略放物断面形状を有した位相フィルタを、結像光学系に搭載した撮像光学系にて撮像された画像に対し、デコンボリューション画像処理を行い、焦点深度拡大画像を得ることを特徴とする。これによれば、ＷＦＣの画像処理後の焦点深度拡大画像において、焦点ずれに応じた像点の面内位置ずれの発生を抑制できることとなり、当該撮像システムを、点像の位置によって物体位置の計測を行う用途に用いることが可能となる。
【手続補正５】
【補正対象書類名】明細書
【補正対象項目名】００１４
【補正方法】変更
【補正の内容】
【００１４】
また、本発明の車両走行支援装置は、光軸に対して回転対称な輪帯構造を備え、各輪帯が略放物断面形状を有した位相フィルタを結像光学系に搭載した撮像光学系にて撮像した、車両周囲物体の画像に対し、デコンボリューション画像処理を行って焦点深度拡大画像を取得し、当該焦点深度拡大画像に所定の画像認識アルゴリズムを適用して、車両から一定距離内にあって互い異なる距離に存在する複数物体を同時に検知するものである。これによれば、車両から近い位置にある障害物も遠い位置にある障害物も同時に検知することが可能となり、車両走行上の安全性向上の効果がある。
【手続補正６】
【補正対象書類名】明細書
【補正対象項目名】００１５
【補正方法】変更
【補正の内容】
【００１５】
また、本発明の監視装置は、光軸に対して回転対称な輪帯構造を備え、各輪帯が略放物断面形状を有した位相フィルタを結像光学系に搭載した撮像光学系にて撮像した、監視対象領域の画像に対し、デコンボリューション画像処理を行って焦点深度拡大画像を取得し、当該焦点深度拡大画像に所定の画像認識アルゴリズムを適用して、監視対象領域において前記撮像光学系から異なる距離に存在する複数診療対象領域を同時に検知するものである。これによれば、撮像光学系からの所在距離によらず、監視対象領域に侵入した、あるいは所在する不審者や犯罪者等の認識率が向上する。
【手続補正７】
【補正対象書類名】明細書
【補正対象項目名】００１６
【補正方法】変更
【補正の内容】
【００１６】
また、本発明の認証装置は、光軸に対して回転対称な輪帯構造を備え、各輪帯が略放物断面形状を有した位相フィルタを結像光学系に搭載した撮像光学系にて複数次撮像した、同一診療対象領域の各画像に対し、デコンボリューション画像処理を行って焦点深度拡大画像を取得し、当該焦点深度拡大画像に所定の画像認識アルゴリズムを適用して、前記撮像光学系からの撮影距離が異なる各画像から前記同一診療対象領域を認証するものである。これによれば、撮像光学系に対する認証対象（人の指紋、静脈、虹彩等）の距離が認証を行う毎に変化する状況があっても、そうした距離のばらつきを適宜吸収して、ひいては認証精度の向上が可能となる。
【手続補正８】
【補正対象書類名】明細書
【補正対象項目名】００１７
【補正方法】変更
【補正の内容】
【００１７】
また、本発明の医療装置は、光軸に対して回転対称な輪帯構造を備え、各輪帯が略放物断面形状を有した位相フィルタを結像光学系に搭載した撮像光学系にて撮像した、人体における診療対象領域の画像に対し、デコンボリューション画像処理を行って焦点深度拡大画像を取得し、当該焦点深度拡大画像に所定の画像認識アルゴリズムを適用して、診療対象領域において前記撮像光学系から異なる距離に存在する複数部位の画像を同時に出力するものである。これによれば、撮像光学系からの患部の遠近によらず、医療従事者における患部の同時視認性が高まることとなる。このことは医療用カメラ等における光学系の設計を容易化し、レンズ必要枚数の削減等も可能となり、製造コスト削減にもつながる。